(57)【特許請求の範囲】
【請求項１】
噴射ノズルを備えるボディと、このボディに枢支軸を介して揺動可能に支持したトリガと、シリンダとピストンの組み合わせからなり、前記トリガの牽曳に伴う押圧とその解除によるピストンの往復移動にてシリンダ内に液体を吸引するとともに加圧して該噴射ノズルを通して液体を噴出させるトリガポンプであって、
前記ボディ又はトリガに、枢支軸を係合させて該トリガを揺動可能に保持する長孔を設け、
前記ボディとトリガの相互間に、トリガの牽曳に際して該トリガの本体部分を直線的に誘導してピストンをその軸心に沿って押圧するガイドを配設し、
該ガイドが、トリガの本体部分に設けられた突起と、ボディに設けられ該突起をピストンの軸心に沿ってスライドさせるレール状の溝からなる、ことを特徴とするトリガポンプ。
【発明の詳細な説明】
【０００１】
【発明の属する技術分野】
本発明はトリガポンプに関し、ピストンのシリンダ内でのスティックを回避して確実な液体噴射を実現しようとするものである。
【０００２】
【従来の技術】
トリガポンプは、黴びとり剤や洗剤等を充てんする容器に多用されており、その構成は、一般に、先端部分に噴射ノズルを取り付けたボディ部分と、このボディ部分に枢支軸を介して揺動可能に支持したトリガと、シリンダ内にピストンを組み込み、液体の吸引と加圧を司る吸引加圧機構とからなっている。
【０００３】
かかるポンプは、トリガの牽曳とその解除を交互に繰り返しシリンダ内のピストンを作動させることによって液体を呼び込むとともに加圧するものであり、これによってボディ部分の先端に設けた噴射ノズルから連続的に液体を噴射する。
【０００４】
ところで、従来形式のトリガポンプは、シリンダ内でその内壁面に沿って直線的に往復移動するピストンに対し、ピストンを作動させるためのトリガが、枢支軸を支点にして円弧を描くように揺動するものであることから、ピストンがシリンダの内壁面に局所的に強く接触する部分が生じ、このような状態を長期にわたって継続した場合に、ピストンがシリンダ内でスティックして液体の噴射ができなくなったり、シリンダの内壁面が偏摩耗してその部位から液体が漏洩するおそれがある。
【０００５】
【発明が解決しようとする課題】
本発明の課題は、上記のような従来の問題を解決できる新規なトリガポンプを提案するところにある。
【０００６】
【課題を解決するための手段】
本発明は、噴射ノズルを備えるボディと、このボディに枢支軸を介して揺動可能に支持したトリガと、シリンダとピストンの組み合わせからなり、前記トリガの牽曳に伴う押圧とその解除によるピストンの往復移動にてシリンダ内に液体を吸引するとともに加圧して該噴射ノズルを通して液体を噴出させるトリガポンプであって、
前記ボディ又はトリガに、枢支軸を係合させて該トリガを揺動可能に保持する長孔を設け、
前記ボディとトリガの相互間に、トリガの牽曳に際してトリガの本体部分を直線的に誘導してピストンをその軸心に沿って押圧するガイドを配設し、
該ガイドが、トリガの本体部分に設けられた突起と、ボディに設けられ該突起をピストンの軸心に沿ってスライドさせるレール状の溝からなる、ことを特徴とするトリガポンプである。
【０００８】
【発明の実施の形態】
以下、図面を用いて本発明をより具体的に説明する。
図１はトリガポンプの全体構成をその断面で示したものであり、図２はトリガとそれを支持するボディとの関係を分解状態で示したものである。
【０００９】
図１、図２において番号１はトリガポンプのボディである。このボディ１はその先端部に噴射ノズル１ａを備えており、その内部には噴射に係わる液体を通す通路１ｂとバルブ１ｃが配置されている。
【００１０】
また、２はトリガ、３はトリガ２をボディ１の長孔１ｄにおいて揺動可能に支持する枢支軸であり、この枢支軸３はここではトリガ２に一体成形した例で示してある。また、４はボディ１と一体になるシリンダ、５はシリンダ４内に配置されるピストン、６はシリンダ４内でピストン５を弾性支持するスプリングの如き弾性部材である。
【００１１】
また、７はトリガ２の本体部分の側壁に設けられた一対の突起、８はボディ１の内側壁面にピストン５の軸心に平行に形成されたレール状の溝であり、突起７は溝８に適合してその溝８に沿ってスライドできるようになっており、この突起７と溝８にてトリガ２を直線的に誘導するガイドｇを構成する。
【００１２】
９はボディ１にアンダーカットの如き連結手段にて組み合わさるインテイクであって、このインテイク９はその内部にチャッキ弁９ａを備える。また、１０はインテイク９につながり容器内の液体を吸引するための吸引管、１１は容器の口部にインテイク９を介してボディ１を固定保持するねじ止めキャップである。
【００１３】
上記の構成になるトリガポンプにおいて、トリガ２を図１の矢印に従い牽曳すると、ピストン５はシリンダ４の末端に当接するまで押圧される。
ピストン５がシリンダ４の末端に当接した時点でトリガ２の牽曳を解除すると、ピストン５は弾性部材６の附勢力によって初期位置へと復帰することとなり、その際、シリンダ４内は負圧になることから、容器本体内の液体は吸引管１０、インテイク９を経てシリンダ４内に液体が流入する。
【００１４】
この状態から再度、トリガ２を牽曳してピストン５を押圧すると、シリンダ４内に流入した液体は加圧されてポートＰから排出される。この時、インテイク９の通路はチャッキ弁９ａによって閉塞状態に保持される一方、ポートＰから排出された液体はバルブ１ｃ、通路１ｂを通り、噴射ノズル１ａの先端から外界へ向けて噴射されることとなり、この一連の動作を複数回繰り返すことによって連続的な噴射が可能となる。
【００１５】
従来形式になるトリガは、図３にピストンとトリガの位置関係を取り出して示すように、枢支軸１２を中心に円弧を描くように揺動するため、ピストン１３がシリンダ１４の内壁面に局所的に強く接触する部分が生じてピストン１３がシリンダ１４内でスティックしてしまうことも懸念されたが、本発明に従うトリガポンプは、図４に示すごとく、枢支軸３がボディ１に設けた長孔（バカ孔）１ｄに係合しており、トリガ２はその牽曳に際して、長孔１ｄの開口範囲内で枢支軸３がトリガ２とともに移動（トリガ２が円弧を描こうとする分（図３中のδｔ）だけ移動する）する一方、突起７が溝８に従い直線的にスライドしてピストン５をその軸心に沿って押圧する。
【００１６】
上掲図１、図２に示したトリガポンプは、枢支軸２をボディ１の長孔１ｄに係合させる例で示したが、ボディ１に枢支軸３を設け、トリガ２に長孔を設けることもでき、この点に関しては限定されない。
【００１７】
また、本発明では、トリガ２が円弧を描く分（δｔ）を吸収するため長孔１ｄを適用する場合を例として示したが、これは、枢支軸３を揺動可能に支持できるものであれば凹部であってもかまわない。ガイドｇに関しても本発明では突起７とレールの機能を有する溝８を適用する場合について図示したが、トリガ２を直線的に誘導できるものであればどのような手段でも適用できる。
【００１８】
本発明に従うトリガポンプは合成樹脂にて構成することができるものであり、各構成部材の製造にはインジェクション成形法が有利に適合する。
【００１９】
【発明の効果】
本発明によれば、トリガの牽曳に際してピストンをその軸心に沿って押圧することができるのでピストンのスティックによる作動不良がない。また、ピストンとシリンダの相互間から液が漏れるようなこともない。
【図面の簡単な説明】
【図１】  本発明に従うトリガポンプの構成説明図である。
【図２】  図１に示したトリガポンプのボディとトリガの取り付け状態を示した図である。
【図３】  従来形式のトリガポンプの牽曳要領の説明図である。
【図４】  本発明に従うトリガポンプの牽曳要領の説明図である。
【符号の説明】
１  ボティ
１ａ  噴射ノズル
１ｂ  通路
１ｃ  バルブ
１ｄ  長孔
２  トリガ
３  枢支軸
４  シリンダ
５  ピストン
６  弾性部材
７  突起
８  レール状の溝
９  インテイク
９ａ  チャッキ弁
１０  吸引管
１１  キャップ
ｇ  ガイド
【図１】
0004256085.tif 000002
【図２】
0004256085.tif 000003
【図３】
0004256085.tif 000004
【図４】
0004256085.tif 000005